(57)【要約】【課題】入力電圧の供給開始から出力電圧が所望の大きさに達するまでの時間の入力電圧の大きさに起因するバラツキを抑制した電源回路及び照明装置を提供する。【解決手段】実施形態によれば、電力変換部と、電源検出回路と、第１制御回路と、第２制御回路と、を備えた電源回路が提供される。電力変換部は、スイッチング素子を有し、スイッチング素子のスイッチングによって、入力電圧を直流の出力電圧に変換し、出力電圧を直流負荷に供給する。電源検出回路は、入力電圧を検出する。第１制御回路は、スイッチング素子のスイッチングを制御する。第２制御回路は、入力電圧の供給開始時において、電源検出回路で検出された入力電圧の検出値が閾値以上である場合に、閾値未満の場合に比べて、第１制御回路によるスイッチング素子の制御の開始を遅らせる。【選択図】図１
2016092925.tif 000002
【特許請求の範囲】
【請求項１】
スイッチング素子を有し、前記スイッチング素子のスイッチングによって、入力電圧を直流の出力電圧に変換し、前記出力電圧を直流負荷に供給する電力変換部と、
前記入力電圧を検出する電源検出回路と、
前記スイッチング素子のスイッチングを制御する第１制御回路と、
前記入力電圧の供給開始時において、前記電源検出回路で検出された前記入力電圧の検出値が閾値以上である場合に、前記閾値未満の場合に比べて、前記第１制御回路による前記スイッチング素子の制御の開始を遅らせる第２制御回路と、
を備えた電源回路。
【請求項２】
前記第１制御回路は、非反転入力端子と反転入力端子と出力端子とを有するエラーアンプを含み、
前記非反転入力端子には、基準電圧が入力され、
前記反転入力端子には、前記直流負荷に流れる出力電流に応じた検出電圧が入力され、
前記エラーアンプは、前記基準電圧と前記検出電圧との差分に応じた電圧を前記出力端子から出力し、
前記第１制御回路は、前記エラーアンプの出力を基に、前記出力電流が一定になるように前記スイッチング素子のスイッチングを制御する請求項１記載の電源回路。
【請求項３】
前記第２制御回路は、前記検出値に応じて前記エラーアンプの応答時間を変化させることにより、前記第１制御回路による前記スイッチング素子の制御の開始を変化させる請求項２記載の電源回路。
【請求項４】
前記第１制御回路は、前記スイッチング素子に制御信号を入力することによって前記スイッチング素子のスイッチングを制御し、
前記第２制御回路は、前記スイッチング素子の制御の開始を遅らせる処理を行った後に、前記制御信号が前記スイッチング素子に入力されるようにする請求項１〜３のいずれか１つに記載の電源回路。
【請求項５】
照明負荷と、
前記照明負荷に電力を供給する請求項１〜４のいずれか１つに記載の電源回路と、
を備えた照明装置。
【発明の詳細な説明】
【技術分野】
【０００１】
本発明の実施形態は、電源回路及び照明装置に関する。
【背景技術】
【０００２】
入力電圧を直流の出力電圧に変換して負荷に供給する電源回路がある。電源回路は、例えば、発光ダイオード（Light-emitting diode：ＬＥＤ）などの発光素子を含む照明装置に用いられている。照明装置に用いられた電源回路は、発光素子に電力を供給し、発光素子を点灯させる。
【０００３】
直流の出力電圧を供給する電源回路は、出力平滑コンデンサを有する。出力平滑コンデンサを充電する時間は、入力電圧の大きさに依存する。入力電圧が大きい程、充電時間は短くなる。このため、出力電圧が所望の大きさに達するまでの時間は、入力電圧の大きさによって変化する。
【０００４】
ＬＥＤなどの発光素子は、順方向電圧に達するまで点灯しない。このため、発光素子を負荷に用いた場合には、入力電圧の大きさによって、点灯するまでの始動時間が変化してしまう。例えば、複数台の照明装置を並べて設置し、各照明装置に同時に電力を供給する場合に、入力電圧のバラツキにより、各照明装置の点灯するタイミングにバラツキが生じてしまう。
【０００５】
このため、電源回路及び照明装置では、入力電圧の供給開始から出力電圧が所望の大きさに達するまでの時間の入力電圧の大きさに起因するバラツキを抑制することが望まれる。
【先行技術文献】
【特許文献】
【０００６】
【特許文献１】特開平５−２１９７３４号公報
【発明の概要】
【発明が解決しようとする課題】
【０００７】
入力電圧の供給開始から出力電圧が所望の大きさに達するまでの時間の入力電圧の大きさに起因するバラツキを抑制した電源回路及び照明装置を提供することを目的とする。
【課題を解決するための手段】
【０００８】
本発明の実施形態によれば、電力変換部と、電源検出回路と、第１制御回路と、第２制御回路と、を備えた電源回路が提供される。前記電力変換部は、スイッチング素子を有し、前記スイッチング素子のスイッチングによって、入力電圧を直流の出力電圧に変換し、前記出力電圧を直流負荷に供給する。前記電源検出回路は、前記入力電圧を検出する。前記第１制御回路は、前記スイッチング素子のスイッチングを制御する。前記第２制御回路は、前記入力電圧の供給開始時において、前記電源検出回路で検出された前記入力電圧の検出値が閾値以上である場合に、前記閾値未満の場合に比べて、前記第１制御回路による前記スイッチング素子の制御の開始を遅らせる。
【発明の効果】
【０００９】
本発明の実施形態によれば、入力電圧の供給開始時において、入力電圧の検出値が閾値以上である場合に、閾値未満の場合に比べて、スイッチング素子の制御の開始を遅らせる。これにより、入力電圧の供給開始から出力電圧が所望の大きさに達するまでの時間の、入力電圧の大きさに起因するバラツキを抑制することができる。
【図面の簡単な説明】
【００１０】
【図１】第１の実施形態に係る照明装置を模式的に表すブロック図である。
【図２】第２の実施形態に係る照明装置を模式的に表すブロック図である。
【図３】第３の実施形態に係る照明装置を模式的に表すブロック図である。
【図４】第４の実施形態に係る照明装置を模式的に表すブロック図である。
【発明を実施するための形態】
【００１１】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１２】
（第１の実施形態）  
図１は、第１の実施形態に係る照明装置を模式的に表すブロック図である。  
図１に表したように、照明装置１０は、照明負荷１２（直流負荷）と、電源回路１４と、を備える。照明負荷１２は、例えば、発光ダイオード（Light-emitting diode：ＬＥＤ）などの照明光源１６を有する。照明光源１６は、例えば、有機発光ダイオード（Organic light-emitting diode：ＯＬＥＤ）などでもよい。照明光源１６には、例えば、順方向降下電圧を有する発光素子が用いられる。照明負荷１２は、電源回路１４からの出力電圧の印加及び出力電流の供給により、照明光源１６を点灯させる。出力電圧及び出力電流の値は、照明光源１６に応じて規定される。
【００１３】
電源回路１４は、一対の電源入力端子１４ａ、１４ｂと、一対の電源出力端子１４ｃ、１４ｄと、を有する。各電源入力端子１４ａ、１４ｂには、入力電源２が接続される。照明負荷１２は、各電源出力端子１４ｃ、１４ｄに接続される。なお、本願明細書において、「接続」とは、電気的な接続を意味し、物理的に接続されていない場合や他の要素を介して接続されている場合も含むものとする。例えば、トランスなどを介して磁気的に結合している場合も、「接続」に含むものとする。
【００１４】
入力電源２は、例えば、商用電源である。電源回路１４は、入力電源２から供給される交流の入力電圧Ｖｉｎを直流の出力電圧Ｖｏｕｔに変換して照明負荷１２に出力することにより、照明光源１６を点灯させる。
【００１５】
電源出力端子１４ｃの電位は、電源出力端子１４ｄの電位よりも高い。例えば、照明光源１６がＬＥＤである場合には、アノードが、電源出力端子１４ｃに接続され、カソードが、電源出力端子１４ｄに接続される。これにより、照明光源１６に順方向の電流が流れ、照明光源１６が点灯する。以下では、各電源出力端子１４ｃ、１４ｄを区別する場合に、電源出力端子１４ｃを高電位出力端子１４ｃと称し、電源出力端子１４ｄを低電位出力端子１４ｄと称す。
【００１６】
電源回路１４は、整流回路２１と、入力平滑コンデンサ２２と、電力変換部２３と、第１制御回路２４と、第２制御回路２５と、電源検出回路２６と、を備える。
【００１７】
整流回路２１は、入力端子２１ａ、２１ｂ、高電位端子２１ｃ、及び、低電位端子２１ｄを有する。各入力端子２１ａ、２１ｂは、各電源入力端子１４ａ、１４ｂに接続される。整流回路２１には、入力電圧Ｖｉｎが入力される。例えば、整流回路２１の入力端子２１ａ、２１ｂと各電源入力端子１４ａ、１４ｂとの間に、入力電圧Ｖｉｎのノイズを除去するフィルタ回路を設けてもよい。
【００１８】
整流回路２１は、例えば、ダイオードブリッジである。整流回路２１は、例えば、交流の入力電圧Ｖｉｎを全波整流し、全波整流後の整流電圧（例えば、脈流電圧）を高電位端子２１ｃと低電位端子２１ｄとの間に生じさせる。高電位端子２１ｃの電位は、低電位端子２１ｄの電位よりも高い。低電位端子２１ｄの電位は、例えば、接地電位または電源回路１４の基準電位である。低電位端子２１ｄの電位は、高電位端子２１ｃの電位よりも低い任意の電位でよい。整流回路２１による入力電圧Ｖｉｎの整流は、半波整流でもよい。
【００１９】
入力平滑コンデンサ２２は、整流回路２１の高電位端子２１ｃ及び低電位端子２１ｄに接続されている。入力平滑コンデンサ２２は、整流回路２１から出力される整流電圧を平滑化する。入力平滑コンデンサ２２は、整流電圧を直流電圧に変換する、もしくは、整流電圧を直流電圧に近付ける。なお、入力電圧Ｖｉｎは、直流電圧でもよい。この場合、整流回路２１及び入力平滑コンデンサ２２は、省略可能である。
【００２０】
電力変換部２３は、入力平滑コンデンサ２２及び各電源出力端子１４ｃ、１４ｄに接続されている。電力変換部２３は、入力平滑コンデンサ２２による平滑後の電圧を出力電圧Ｖｏｕｔに変換し、出力電圧Ｖｏｕｔを照明負荷１２に出力する。
【００２１】
電力変換部２３は、スイッチング素子３０と、ダイオード３１と、インダクタ３２と、抵抗素子３３と、出力平滑コンデンサ３４と、を有する。電力変換部２３は、スイッチング素子３０のスイッチングにより、入力平滑コンデンサ２２の平滑後の電圧を出力電圧Ｖｏｕｔに変換する。そして、電力変換部２３は、出力電圧Ｖｏｕｔを照明負荷１２に向けて出力する。
【００２２】
スイッチング素子３０は、一対の主電極３０ａ、３０ｂと、制御電極３０ｃと、を有する。一方の主電極３０ａは、整流回路２１の高電位端子２１ｃに接続されている。他方の主電極３０ｂは、ダイオード３１のカソードに接続されている。ダイオード３１のアノードは、低電位端子２１ｄに接続されている。インダクタ３２の一端は、主電極３０ｂに接続されている。インダクタ３２の他端は、抵抗素子３３を介して出力平滑コンデンサ３４の一端に接続されている。出力平滑コンデンサ３４の他端は、低電位端子２１ｄに接続されている。
【００２３】
また、出力平滑コンデンサ３４の一端は、高電位出力端子１４ｃに接続されている。出力平滑コンデンサ３４の他端は、低電位出力端子１４ｄに接続されている。すなわち、電力変換部２３は、降圧チョッパ回路である。電力変換部２３は、これに限ることなく、他の形式のチョッパ回路などでもよい。
【００２４】
スイッチング素子３０は、例えば、ｎチャネル形のＦＥＴである。例えば、主電極３０ａは、ドレインであり、主電極３０ｂは、ソースであり、制御電極３０ｃは、ゲートである。スイッチング素子３０は、例えば、ノーマリオフ形である。スイッチング素子３０は、例えば、ｐチャネル形のＦＥＴでもよいし、バイポーラトランジスタなどでもよい。
【００２５】
出力平滑コンデンサ３４の容量は、入力平滑コンデンサ２２の容量よりも大きい。入力平滑コンデンサ２２の容量は、例えば、５μＦ以上２０μＦ以下である。出力平滑コンデンサ３４の容量は、例えば、２００μＦ以上４００μＦ以下である。出力平滑コンデンサ３４の容量は、例えば、入力平滑コンデンサ２２の容量の１０倍以上５０倍以下である。入力平滑コンデンサ２２の容量を比較的小さくする。これにより、例えば、力率の低下を抑制することができる。そして、出力平滑コンデンサ３４の容量を比較的大きくする。これにより、例えば、リップルノイズの発生を抑制することができる。
【００２６】
電源回路１４は、コンデンサ４３、４４と、スイッチング素子４６と、をさらに有する。スイッチング素子４６は、一対の主電極４６ａ、４６ｂと、制御電極４６ｃと、を有する。スイッチング素子４６には、例えば、スイッチング素子３０に関して説明した素子と同じ素子を用いることができる。スイッチング素子４６は、例えば、ノーマリオフ形である。
【００２７】
コンデンサ４３、４４の一端は、エラーアンプ４０の出力端子に接続されている。コンデンサ４３の他端は、低電位端子２１ｄに接続されている。コンデンサ４３の他端は、スイッチング素子４６の主電極４６ａに接続されている。スイッチング素子４６の主電極４６ｂは、低電位端子２１ｄに接続されている。スイッチング素子４６の制御電極４６ｃは、第２制御回路２５に接続されている。
【００２８】
第１制御回路２４は、スイッチング素子３０の制御電極３０ｃに接続されている。第１制御回路２４は、スイッチング素子３０のスイッチングを制御する。第１制御回路２４は、照明負荷１２に流れる出力電流Ｉｏｕｔを検出し、出力電流Ｉｏｕｔが一定になるように、スイッチング素子３０のスイッチングを制御する。すなわち、第１制御回路２４は、出力電流Ｉｏｕｔに応じてスイッチング素子３０のスイッチングをフィードバック制御する。
【００２９】
第１制御回路２４は、エラーアンプ４０と、発振回路４２と、を有する。第１制御回路２４のグランド端子は、抵抗素子３３と出力平滑コンデンサ３４との間に接続されている。すなわち、第１制御回路２４では、スイッチング素子３０の低電位側の主電極３０ｂの電位が、基準電位となる。
【００３０】
エラーアンプ４０の非反転入力端子には、基準電圧が入力されている。エラーアンプ４０の反転入力端子は、抵抗素子３３に接続されている。抵抗素子３３の電圧は、出力電流Ｉｏｕｔに応じた電圧である。抵抗素子３３の電圧は、換言すれば、出力電流Ｉｏｕｔの検出電圧である。すなわち、エラーアンプ４０の反転入力端子には、出力電流Ｉｏｕｔに応じた電圧が入力される。
【００３１】
エラーアンプ４０は、反転入力端子と非反転入力端子との差分に応じた電圧を出力する。反転入力端子の電圧が、基準電圧よりも低くなるほど、エラーアンプ４０の出力が大きくなる。
【００３２】
発振回路４２は、エラーアンプ４０の出力端子に接続されている。発振回路４２には、エラーアンプ４０の出力が入力される。また、発振回路４２は、スイッチング素子３０の制御電極３０ｃに接続されている。発振回路４２は、エラーアンプ４０の出力を基に、スイッチング素子３０のスイッチングを制御するための制御信号を生成し、制御信号をスイッチング素子３０に入力する。発振回路４２は、例えば、ＰＷＭ信号を制御信号として生成する。発振回路４２は、エラーアンプ４０の出力の増加に応じて、出力電流Ｉｏｕｔが大きくなるように、制御信号を生成する。発振回路４２は、例えば、エラーアンプ４０の出力の増加に応じて、スイッチング素子３０のデューティ比を大きくする。
【００３３】
出力電流Ｉｏｕｔが一定に制御された状態から出力電流Ｉｏｕｔが低下した場合、抵抗素子３３の電圧が低下する。これにともなって、エラーアンプ４０の反転入力端子の電圧が低下し、エラーアンプ４０の出力が大きくなる。これにより、スイッチング素子３０のデューティ比が大きくなり、低下した分だけ出力電流Ｉｏｕｔが増大する。すなわち、出力電流Ｉｏｕｔが、実質的に一定に制御される。このように、第１制御回路２４は、出力電流Ｉｏｕｔが実質的に一定になるようにスイッチング素子３０のスイッチングを制御する。
【００３４】
電源検出回路２６は、入力平滑コンデンサ２２の高電位側の端子に接続されている。電源検出回路２６は、入力平滑コンデンサ２２によって平滑された電圧を基に、入力電圧Ｖｉｎを検出する。電源検出回路２６は、例えば、入力電圧Ｖｉｎの最大値を検出する。電源検出回路２６は、第２制御回路２５に接続されている。電源検出回路２６は、入力電圧Ｖｉｎの検出値を第２制御回路２５に入力する。
【００３５】
第２制御回路２５は、電源検出回路２６によって検出された入力電圧Ｖｉｎの検出値を基に、エラーアンプ４０の応答時間を変化させる。第２制御回路２５は、スイッチング素子４６のオン・オフを制御し、エラーアンプ４０の出力端子に接続するコンデンサの数を切り替えることによって、エラーアンプ４０の応答時間を変化させる。
【００３６】
第２制御回路２５は、電源検出回路２６の検出値が所定の閾値以上か否かの判定を行う。第２制御回路２５は、閾値未満であると判定した場合、スイッチング素子４６をオフ状態にし、コンデンサ４３のみをエラーアンプ４０の出力端子に接続する。一方、第２制御回路２５は、閾値以上であると判定した場合、スイッチング素子４６をオン状態にし、コンデンサ４３とコンデンサ４４とをエラーアンプ４０の出力端子に接続する。
【００３７】
このように、第２制御回路２５は、入力電圧Ｖｉｎの検出値が閾値以上の場合に、コンデンサ４３、４４をエラーアンプ４０の出力端子に接続することにより、入力電圧Ｖｉｎの検出値が閾値未満の場合に比べて、エラーアンプ４０の出力端子に並列に接続された静電容量を大きくする。これにより、検出値が閾値以上の場合には、検出値が閾値未満の場合に比べて、静電容量の充電時間が長くなり、エラーアンプ４０の動作開始時の応答時間が遅くなる。例えば、エラーアンプ４０の出力が発振回路４２に入力されるタイミングが遅くなる。従って、入力電圧Ｖｉｎの検出値が閾値以上の場合、閾値未満の場合に比べて、第１制御回路２４によるスイッチング素子３０の制御の開始が遅れる。
【００３８】
この例では、コンデンサ４３、４４が、エラーアンプ４０の応答時間を決定する。コンデンサ４３、４４は、エラーアンプ４０の入力値と基準値との比較結果がスイッチング素子３０のオン・デューティへ反映される時間を決定する。
【００３９】
このように、第２制御回路２５は、入力電圧の検出値が閾値以上である場合に、エラーアンプ４０の出力端子に並列に接続された静電容量を大きくすることにより、閾値未満の場合に比べて、第１制御回路２４によるスイッチング素子３０の制御の開始を遅らせる。
【００４０】
各制御回路２４、２５には、例えば、マイクロプロセッサが用いられる。各制御回路２４、２５は、それぞれ別のマイクロプロセッサで構成してもよいし、１つのプロセッサで構成してもよい。各制御回路２４、２５は、１つのプロセッサに設けられた機能ブロックでもよい。
【００４１】
次に、本実施形態に係る照明装置１０及び電源回路１４の作用について説明する。  
照明装置１０において、入力電源２から電源回路１４に入力電圧Ｖｉｎを供給する。入力電圧Ｖｉｎは、整流回路２１によって整流され、入力平滑コンデンサ２２によって平滑化される。
【００４２】
また、入力電圧Ｖｉｎを電源回路１４に供給すると、第１制御回路２４、第２制御回路２５、及び、電源検出回路２６が起動する。電源検出回路２６は、入力平滑コンデンサ２２によって平滑された電圧を基に、入力電圧Ｖｉｎを検出し、検出値を第２制御回路２５に入力する。
【００４３】
第２制御回路２５は、電源検出回路２６の検出値が所定の閾値以上か否かを判定し、閾値未満である場合には、スイッチング素子４６をオフ状態にする。これにより、コンデンサ４３の静電容量に応じた時間で、エラーアンプ４０の出力が、発振回路４２に入力される。
【００４４】
第２制御回路２５は、閾値以上であると判定した場合、スイッチング素子４６をオン状態にする。これにより、コンデンサ４３及びコンデンサ４４の合成の静電容量に応じた時間で、エラーアンプ４０の出力が、発振回路４２に入力される。従って、閾値未満の場合に比べて、スイッチング素子３０の制御の開始が遅くなる。
【００４５】
前述のように、出力平滑コンデンサ３４の静電容量は、力率改善のため入力平滑コンデンサ２２の静電容量よりも大きい。出力平滑コンデンサ３４を充電する時間は、入力電圧Ｖｉｎの大きさに依存する。このため、スイッチング素子３０の制御のタイミングを入力電圧Ｖｉｎの大きさに関わらず一定とした場合には、出力電圧Ｖｏｕｔが所望の大きさに達するまでの時間（以下、立ち上がり時間と称す）が、入力電圧Ｖｉｎの大きさによって変化してしまう。例えば、入力電圧Ｖｉｎの大きさによって、照明負荷１２の点灯するタイミングにバラツキが生じてしまう。
【００４６】
これに対して、本実施形態に係る照明装置１０及び電源回路１４では、入力電圧Ｖｉｎの検出値が閾値以上である場合に、閾値未満の場合に比べて、第１制御回路２４によるスイッチング素子３０の制御の開始を遅らせる。これにより、出力電圧Ｖｏｕｔの立ち上がり時間の、入力電圧Ｖｉｎの大きさに起因するバラツキを抑制することができる。
【００４７】
例えば、入力電圧Ｖｉｎの供給開始から照明負荷１２の点灯するまでの時間を、入力電圧Ｖｉｎの大きさに関わらず実質的に一定にすることができる。例えば、複数台の照明装置１０を並べて設置し、各照明装置１０に同時に電力を供給する場合にも、入力電圧Ｖｉｎのバラツキにより、各照明装置１０の点灯するタイミングにバラツキが生じることを抑制することができる。
【００４８】
コンデンサ４４の静電容量は、入力電圧Ｖｉｎの検出値の閾値や出力平滑コンデンサ３４の静電容量などに応じて適宜設定すればよい。コンデンサ４４の静電容量は、出力電圧Ｖｏｕｔの立ち上がり時間が、実質的に一定になるように、適宜設定すればよい。
【００４９】
例えば、入力電圧ＶｉｎがＡＣ１００Ｖ（実効値）である場合、閾値は、入力電圧Ｖｉｎの換算値において、１１０Ｖ（実効値）に設定する。これにより、入力電圧Ｖｉｎの変動にともなう出力電圧Ｖｏｕｔの立ち上がり時間のバラツキを抑制することができる。
【００５０】
例えば、閾値を入力電圧Ｖｉｎの換算値において２００Ｖ（実効値）に設定し、入力電圧ＶｉｎがＡＣ１００Ｖ（実効値）の場合と、入力電圧ＶｉｎがＡＣ２００Ｖ（実効値）の場合と、の出力電圧Ｖｏｕｔの立ち上がり時間のバラツキを抑制してもよい。
【００５１】
（第２の実施形態）  
図２は、第２の実施形態に係る照明装置を模式的に表すブロック図である。  
図２に表したように、照明装置１００の電源回路１０４は、コンデンサ４８とスイッチング素子５０とをさらに有する。なお、上記第１の実施形態と機能・構成上実質的に同じものについては、同符号を付し、詳細な説明を省略する。
【００５２】
コンデンサ４８及びスイッチング素子５０の構成は、コンデンサ４４及びスイッチング素子４６の構成と実質的に同じである。すなわち、電源回路１０４は、エラーアンプ４０の出力端子に接続された複数のコンデンサ４４、４８と、各コンデンサ４４、４８のそれぞれに対応した複数のスイッチング素子４６、５０を有する。
【００５３】
電源回路１０４において、第２制御回路２５は、電源検出回路２６の検出値に対して複数の閾値を設定する。第２制御回路２５は、例えば、電源検出回路２６の検出値に対して、第１閾値と、第１閾値よりも高い第２閾値と、を設定する。そして、第２制御回路２５は、検出値が第１閾値未満である場合に、スイッチング素子４６、５０の双方をオフ状態にし、検出値が第１閾値以上第２閾値未満である場合に、スイッチング素子４６のみをオン状態にし、検出値が第２閾値以上である場合に、スイッチング素子４６、５０の双方をオン状態にする。
【００５４】
このように、複数の閾値を設定し、検出値と各閾値との比較により、第１制御回路２４によるスイッチング素子３０の制御の開始を段階的に遅らせる。これにより、出力電圧Ｖｏｕｔの立ち上がり時間の、入力電圧Ｖｉｎの大きさに起因するバラツキをより適切に抑制することができる。
【００５５】
この例では、入力電圧Ｖｉｎの検出値に対して２つの閾値を設定し、出力電圧Ｖｏｕｔの立ち上がり時間を３段階に変化させている。設定する閾値の数は、２つに限ることなく、３つ以上でもよい。
【００５６】
（第３の実施形態）  
図３は、第３の実施形態に係る照明装置を模式的に表すブロック図である。  
図３に表したように、照明装置１１０の電源回路１１４は、エラーアンプ４０と発振回路４２との間に設けられたスイッチング素子５２をさらに有する。スイッチング素子５２は、一対の主電極５２ａ、５２ｂと、制御電極５２ｃと、を有する。
【００５７】
一方の主電極５２ａは、発振回路４２に接続されている。他方の主電極５２ｂは、エラーアンプ４０の出力端子に接続されている。制御電極５２ｃは、第２制御回路２５に接続されている。
【００５８】
スイッチング素子５２には、例えば、スイッチング素子３０に関して説明した素子が用いられる。スイッチング素子５２は、例えば、ノーマリオフ形である。
【００５９】
スイッチング素子５２のオン・オフは、第２制御回路２５によって制御される。第２制御回路２５は、入力電圧Ｖｉｎの検出値が閾値未満である場合、スイッチング素子４６をオフ状態にした後に、スイッチング素子５２をオフ状態からオン状態に切り替える。そして、第２制御回路２５は、検出値が閾値以上であると判定した場合、スイッチング素子４６をオン状態にした後に、スイッチング素子５２をオフ状態からオン状態に切り替える。
【００６０】
このように、第２制御回路２５は、入力電圧Ｖｉｎの検出値に応じてエラーアンプ４０の応答時間を切り替えた後に、スイッチング素子５２をオフ状態からオン状態に切り替える。すなわち、第２制御回路２５は、第１制御回路２４によるスイッチング素子３０の制御の開始を遅らせる処理を行った後に、制御信号がスイッチング素子３０の制御電極３０ｃに入力されるようにする。
【００６１】
これにより、例えば、スイッチング素子４６の切り替えが完了する前に、スイッチング素子３０に制御信号が入力されてしまうことを抑制することができる。出力電圧Ｖｏｕｔの立ち上がり時間の、入力電圧Ｖｉｎの大きさに起因するバラツキをより適切に抑制することができる。
【００６２】
この例では、エラーアンプ４０と発振回路４２との間にスイッチング素子５２を設けている。これに限ることなく、例えば、発振回路４２とスイッチング素子３０の制御電極３０ｃとの間にスイッチング素子５２を設けてもよい。
【００６３】
例えば、コンデンサ４３、４４及びスイッチング素子４６を省略し、エラーアンプ４０の出力端子と発振回路４２との間に並列に接続された静電容量を十分小さくした場合には、スイッチング素子５２のオン・オフのみで、第１制御回路２４によるスイッチング素子３０の制御開始のタイミングを切り替えてもよい。
【００６４】
例えば、入力電圧Ｖｉｎの検出値が閾値未満である場合には、入力電圧Ｖｉｎの供給開始から第１時間が経過した後に、スイッチング素子５２をオフ状態からオン状態に切り替える。そして、閾値以上である場合には、入力電圧Ｖｉｎの供給開始から第１時間よりも長い第２時間が経過した後に、スイッチング素子５２をオフ状態からオン状態に切り替える。
【００６５】
これにより、スイッチング素子５２の制御によっても、入力電圧Ｖｉｎの検出値が閾値以上である場合に、閾値未満の場合に比べて、第１制御回路２４によるスイッチング素子３０の制御の開始を遅らせることができる。出力電圧Ｖｏｕｔの立ち上がり時間の、入力電圧Ｖｉｎの大きさに起因するバラツキを抑制することができる。
【００６６】
（第４の実施形態）  
図４は、第４の実施形態に係る照明装置を模式的に表すブロック図である。  
図４に表したように、照明装置１２０の電源回路１２４は、エラーアンプ４０の電源端子に接続されたスイッチング素子５４をさらに有する。スイッチング素子５４には、例えば、スイッチング素子３０に関して説明した素子が用いられる。スイッチング素子５４は、例えば、ノーマリオフ形である。
【００６７】
スイッチング素子５４は、エラーアンプ４０への電力供給の制御に用いられる。スイッチング素子５４の制御電極は、第２制御回路２５に接続されている。スイッチング素子５４のオン・オフは、第２制御回路２５によって制御される。第２制御回路２５は、スイッチング素子５４のオン・オフにより、エラーアンプ４０への電力供給の開始、及び電力供給の停止を制御する。
【００６８】
第２制御回路２５は、入力電圧Ｖｉｎの検出値が閾値未満である場合、スイッチング素子４６をオフ状態にした後に、スイッチング素子５４をオフ状態からオン状態に切り替える。そして、第２制御回路２５は、検出値が閾値以上であると判定した場合、スイッチング素子４６をオン状態にした後に、スイッチング素子５４をオフ状態からオン状態に切り替える。スイッチング素子５４をオン状態にすると、エラーアンプ４０に電力が供給され、エラーアンプ４０が動作を開始する。
【００６９】
このように、電源回路１２４では、入力電圧Ｖｉｎの検出値に応じてエラーアンプ４０の応答時間を切り替えた後に、エラーアンプ４０を動作させる。この場合においても、上記第３の実施形態と同様に、第１制御回路２４によるスイッチング素子３０の制御の開始を遅らせる処理を行った後に、スイッチング素子３０の制御電極３０ｃに制御信号を入力することができる。この例においても、上記第３の実施形態と同様の効果を得ることができる。
【００７０】
この例では、エラーアンプ４０への電力の供給を制御することにより、エラーアンプ４０の応答時間を切り替えた後に、エラーアンプ４０を動作させている。これに限ることなく、例えば、第１制御回路２４への電力の供給を制御することにより、エラーアンプ４０の応答時間を切り替えた後に、エラーアンプ４０を動作させてもよい。
【００７１】
以上、具体例を参照しつつ実施形態について説明したが、それらに限定されるものではなく、種々の変形が可能である。
【００７２】
なお、照明光源１６はＬＥＤに限らず、例えば、有機ＥＬ（Electro-Luminescence）やＯＬＥＤ（Organic light-emitting diode）などでもよい。照明負荷１２には、複数の照明光源１６が直列又は並列に接続されていてもよい。
【００７３】
上記各実施形態では、直流負荷として、照明負荷１２を示しているが、これに限ることなく、例えば、ヒータなどの他の直流負荷でもよい。上記実施形態では、電源回路として、照明装置１０に用いられる電源回路１４を示しているが、これに限ることなく、直流負荷に対応する任意の電源回路でよい。
【００７４】
本発明のいくつかの実施形態および実施例を説明したが、これらの実施形態または実施例は、例として提示したものであり、発明の範囲を限定することは意図していない。これら新規な実施形態または実施例は、その他の様々な形態で実施されることが可能であり、発明の要旨を逸脱しない範囲で、種々の省略、置き換え、変更を行うことができる。これら実施形態または実施例やその変形は、発明の範囲や要旨に含まれるとともに、特許請求の範囲に記載された発明とその均等の範囲に含まれる。
【符号の説明】
【００７５】
２…入力電源、  １０、１００、１１０、１２０…照明装置、  １２…照明負荷、  １４、１０４、１１４、１２４…電源回路、  １６…照明光源、  ２１…整流回路、  ２２…入力平滑コンデンサ、  ２３…電力変換部、  ２４…第１制御回路、  ２５…第２制御回路、  ２６…電源検出回路、  ３０…スイッチング素子、  ３１…ダイオード、  ３２…インダクタ、  ３３…抵抗素子、  ３４…出力平滑コンデンサ、  ４０…エラーアンプ、  ４２…発振回路、  ４３、４４、４８…コンデンサ、  ４６、５０、５２、５４…スイッチング素子
【図１】
2016092925.tif 000003
【図２】
2016092925.tif 000004
【図３】
2016092925.tif 000005
【図４】
2016092925.tif 000006